(57)【要約】【課題】容易に製造することができ、コスト的にも重量的にも優れ、廃棄性を向上した可撓性の多室袋、及び複数の内容物を収納した包装体を提供する。【解決手段】本発明による多室袋は、内容物を収納する第１室と、内容物を収納し前記第１室と隣接する第２室と、前記第１室を開閉可能とする咬合部と、を有する可撓性の多室袋であって、前記第２室は、開口可能に構成されていることを特徴とする。また、本発明による包装体は、上述の多室袋に内容物を収納したことを特徴とする。【選択図】図１
2008213875.tif 000002
【特許請求の範囲】
【請求項１】
内容物を収納する第１室と、
内容物を収納し前記第１室と隣接する第２室と、
前記第１室を開閉可能とする咬合部と、
を有する可撓性の多室袋であって、
前記第２室は、開口可能に構成されていることを特徴とする多室袋。
【請求項２】
前記第２室は、少なくとも前記咬合部に対応する位置に剥離層を有するシートで形成されることを特徴とする請求項１に記載の多室袋。
【請求項３】
前記第２室は、前記第１室を形成するシートであって該シートに前記咬合部を設けた部分の裏側の位置に剥離層を有するシートで形成されることを特徴とする請求項１又は２に記載の多室袋。
【請求項４】
前記第２室は、前記第１室を形成するシートと異なるシートであって該第２室を開口可能に構成する部分に剥離層を有するシートで形成されることを特徴とする請求項１乃至３のいずれか一項に記載の多室袋。
【請求項５】
前記第２室を開閉可能とするように咬合部をさらに有することを特徴とする請求項１乃至４のいずれか一項に記載の多室袋。
【請求項６】
前記第２室は、当該多室袋の外部から視認し得るように構成されていることを特徴とする請求項１乃至５のいずれか一項に記載の多室袋。
【請求項７】
前記第１室は、熱融着性を備えたシーラント層を有するシートで形成されることを特徴とする請求項１乃至６のいずれか一項に記載の多室袋。
【請求項８】
前記第２室は、熱融着性を備えたシーラント層を有するシートで形成されることを特徴とする請求項１乃至７のいずれか一項に記載の多室袋。
【請求項９】
前記咬合部の上辺側に、ノッチ又は開封線をさらに有することを特徴とする請求項１乃至８のいずれか一項に記載の多室袋。
【請求項１０】
当該多室袋の底辺にガゼット部をさらに有することを特徴とする請求項１乃至９のいずれか一項に記載の多室袋。
【請求項１１】
請求項１乃至１０のいずれか一項に記載の多室袋に内容物を収納したことを特徴とする包装体。
【請求項１２】
内容物として、前記第１室に薬品を、前記第２室に印刷物を、それぞれ収納したことを特徴とする請求項１１に記載の包装体。
【発明の詳細な説明】
【技術分野】
【０００１】
本発明は、多室袋及び包装体に係り、特に、異なる内容物を収納し得る可撓性の多室袋、及び内容物を収納した包装体に関する。
【背景技術】
【０００２】
従来、医薬品の包装形態などの複数の内容物に用いる包装形態としては、薬剤を収納するプラスチック製などの容器と薬剤の添付文書などの印刷物とを紙製の外箱に収納する形態が採用されていた。しかしながら、容器の製造に使用する資材が多いこと、容器重量や体積が大きいことなどが問題となっていた。
【０００３】
このような問題を解決する手段として、特許文献１は、外箱を用いずに、薬剤と印刷物とを一つの容器に収納する商品包装容器を開示する。つまり、特許文献１に開示の商品包装容器は、容器本体の胴部の外側に、効能書、説明書その他の印刷物を収容する蓋付き収納ケースを付設したことを特徴とするものである。
【０００４】
しかしながら、このような容器では、薬剤を収納する容器本体と、印刷物を収納する蓋付き収納ケースとを別の工程で製造する必要がある。また、別の工程で製造された本体とケースとを一体的に成形するのに突条や凹溝などの一体化手段を設ける必要がある。さらに、このように製造した本体とケースとを一体化する工程が新たに必要となる。従って、容易に製造することは、困難であった。
【０００５】
加えて、このような容器では、柔軟性を付与することが難しく、収納し得る内容物の量が制約されてしまう。また、柔軟性を付与することが難しいことから、容器の容積を多くとってしまい、容器の収納にもスペースを多くとってしまうと共に、廃棄にも不向きである。
【０００６】
さらに、このような容器では、本来の容器に必要な特性である収納する内容物の特性に応じた材料の選択に加え、一体化に耐え得る特性等を付与する必要が生じ、資材が多く必要となってしまう。このことにより、容器の重量が大きくなってしまい、またコスト的にも不利であった。
【特許文献１】特開平１０−２９７６３９号公報
【発明の開示】
【発明が解決しようとする課題】
【０００７】
本発明は、上述の問題に鑑みてなされたものであり、容易に製造することができ、コスト的にも重量的にも優れ、廃棄性を向上した可撓性の多室袋、及び複数の内容物を収納した包装体を提供することを目的とする。
【課題を解決するための手段】
【０００８】
本発明による可撓性の多室袋は、内容物を収納する第１室と、内容物を収納し前記第１室と隣接する第２室と、前記第１室を開閉可能とする咬合部と、を有する可撓性の多室袋であって、前記第２室は、開口可能に構成されていることを特徴とする。これにより、可撓性を有し、同一又は異なる内容物を収納しつつ、内容物の密閉性を維持することが可能となる。
【０００９】
本発明による多室袋において、前記第２室は、少なくとも前記咬合部に対応する位置に剥離層を有するシートで形成されることを特徴とする。これにより、容易な構成で持続的に閉口させることなく第２室を開口可能に構成することが可能となる。
【００１０】
本発明による多室袋において、前記第２室は、前記第１室を形成するシートであって該シートに前記咬合部を設けた部分の裏側の位置に剥離層を有するシートで形成されることを特徴とする。これにより、容易な構成で持続的に閉口させることなく第２室を開口可能に構成することが可能となる。
【００１１】
本発明による多室袋において、前記第２室は、前記第１室を形成するシートと異なるシートであって該第２室を開口可能に構成する部分に剥離層を有するシートで形成されることを特徴とする。これにより、容易な構成で持続的に閉口させることなく第２室を開口可能に構成することが可能となる。
【００１２】
本発明による多室袋において、前記第２室を開閉可能とするように咬合部をさらに有することを特徴とする。これにより、容易な構成で適宜開閉可能な第２室を構成することが可能となる。
【００１３】
本発明による多室袋において、前記第２室は、当該多室袋の外部から視認し得るように構成されていることを特徴とする。これにより、第２室に収納する能書や印刷物などの内容物が多室袋に収納された状態であっても、製造時の検査を目視で行うことが可能となる。また、使用者（消費者）においても、第２室の内容物を多室袋の外部から容易に確認することが可能となる。
【００１４】
本発明による多室袋において、前記第１室は、熱融着性を備えたシーラント層を有するシートで形成されることを特徴とする。これにより、簡便な方法で製造し得る多室袋が得られる。
【００１５】
本発明による多室袋において、前記第２室は、熱融着性を備えたシーラント層を有するシートで形成されることを特徴とする。これにより、簡便な方法で製造し得る多室袋が得られる。
【００１６】
本発明による多室袋において、前記咬合部の上辺側に、ノッチ又は開封線をさらに有することを特徴とする。これにより、多室袋の使用の便が向上する。
【００１７】
本発明による多室袋において、当該多室袋の底辺にガゼット部をさらに有することを特徴とする。これにより、多室袋の使用の便が向上する。
【００１８】
一方、本発明による包装体は、上述の多室袋に内容物を収納したことを特徴とする。これにより、内容物の品質を維持しつつ、所望の複数の内容物を同封して取り扱うことが可能となる。
【００１９】
本発明による包装体において、内容物として、前記第１室に薬品を、前記第２室に印刷物を、それぞれ収納したことを特徴とする。これにより、薬品の維持を保持しつつ、関連する印刷物を同封して取り扱うことが可能となる。
【発明の効果】
【００２０】
本発明によれば、製造ラインを一体化することができ、容易に製造することが可能となる。また、多室袋の製造に用いる資材を少量化することができる。これに伴い、重量及び体積を低減することが可能となり、内容物の収納能力の向上、多室袋の収納スペースの節約及び廃棄物の減容化と共に、輸送コストの削減が可能となる。
【発明を実施するための最良の形態】
【００２１】
以下、本発明について、詳細に説明する。
【００２２】
＜本発明による多室袋＞
図１は、本発明による多室袋の平面図を示し、図２は、図１の線Ｘ−Ｘに沿った拡大断面図を示す。本発明による多室袋１は、図１及び２を参照すると、後述のシートの側辺１２及び１４と底辺１６とで規定された内容物を収納する第１室３６と、後述のシートの側辺１２及び１４と底辺１６とで規定され、第１室３６と隣接して設けられた内容物を収納する第２室３８とを有する。本発明による多室袋は、第１室３６に設けた咬合部２６に沿って、各シートが結合される。つまり、本発明による多室袋は、図１の横方向に沿った２本の点線の部分（図２では、下述の剥離層１０６の存在する部分）に沿って、各シートが結合される。なお、図２に示す符号３２及び３４は、各シートが上辺１８で結合される前に第１室３６及び第２室３８にそれぞれ形成される第１開口部及び第２開口部をそれぞれ示す。
【００２３】
（第１室）
本発明による多室袋において、第１室３６は、第１室を開閉可能に構成する咬合部２６を有する。咬合部２６は、多室袋の外部表面を構成するシートの内面と、第２室３８を形成するシートの第２室を形成する面と異なる反対の面とに結合するように、設けられる。咬合部２６を有することから、第１室３６は、咬合部２６の結合及び解離により、開閉可能に構成される。
【００２４】
（第２室）
本発明による多室袋において、第２室３８は、第１室３６を形成するシートと他のシートとの間の結合によって、少なくとも一時的に各シートによって閉口状態となる。一方、第２室３８は、後述の通り第１室３６を形成するシートと他のシートとの間の結合（図２では、下述の剥離層１０６とこれに対向するシートとの結合）が解除されることによって、少なくとも開口可能に構成される。
【００２５】
本発明による多室袋において、第２室３８には、第２室を開閉可能に構成する咬合部をさらに設けてもよい。この場合、第２室に設ける咬合部としては、多室袋の外部表面を構成するシートの内面と、第１室３６を形成するシートの第１室を形成する面と異なる反対の面とに持続的に結合するように、設ければよい。これにより、本発明による多室袋において、第１室とともに、第２室も、咬合部の結合及び解離により、開閉可能となる。
【００２６】
（第１室及び第２室）
本発明による多室袋において、第１室３６及び／又は第２室３８は、吸湿性、気体吸着性など、第１内容物Ｃ１及び第２内容物Ｃ２などの内容物の保存性を向上させる目的で、防湿性、防気性を付与するように、構成されてもよい。この際、第１室３６を形成するシートは、吸湿性、気体吸着性の成分を含有してもよい。また、本発明による多室袋において、第１室３６及び／又は第２室３８は、第２内容物Ｃ２などの内容物が多室袋の外部から視認し得るように構成されてもよい。さらに、本発明による多室袋は、第１室３６及び第２室３８とは異なる他の室を有してもよい。この他の室を設ける場合、後述のシートを多室袋の外面に沿うように結合させてもよい。
【００２７】
（本発明による多室袋の製造に使用するシート）
本発明による多室袋において、多室袋を構成するシートとしては、咬合部２６を配設した第１室３６と、開口可能に構成した第２室３８とを形成し得る可撓性を有するものであれば、特に制約はない。本発明による多室袋の形成に用いるシートの例を示したのが、図３−１乃至３−３及び図４−１乃至４−２である。
【００２８】
図３−１乃至３−３は、本発明による多室袋において、第２室の形成に用いるシートの断面の一例を示す図であって、多室袋を形成した際、第１室に設けた咬合部に対応する位置における断面図である。また、図４−１乃至４−２は、本発明による多室袋に用いるシートの断面の一例を示す図である。
【００２９】
本発明による多室袋に用いるシートとしては、図３−１乃至３−３及び図４−１乃至４−２に示すように、基材１０２と、基材１０２上に積層されたシーラント層１０４とを少なくとも有する。本発明による多室袋に用いるシートは、図３−２及び３−３並びに図４−２に示すように、基材１０２と、基材１０２上に積層された一つのシーラント層１０４とを有するものであってもよく、図３−１及び図４−１に示すように、基材１０２と、基材１０２上に積層されたシーラント層１０４とを有するとともに、シーラント層１０４を設けた基材１０２の面とは逆の面（図３−１及び図４−１において、基材１０２の下の表面）上に積層されたシーラント層１０４をさらに有してもよい。本発明による多室袋の形成において単一のシーラント層を有するシート（図３−２及び３−３並びに図４−２）を用いるか、複数のシーラント層を有するシート（図３−１及び図４−１）を用いるかは、これらのシートを多室袋のどの箇所の形成に用いるかによって、適宜使い分ければよい。例えば、本発明に多室袋を形成する際、ある１つのシートと、他の１つのシートとのみを結合させる場合には、このある１つのシートとしては、単一のシーラント層を有するシートを用いればよい。また、ある１つのシートを、他の１つのシートとともに、さらに他のシートとを結合させる場合には、このある１つのシートとしては、複数のシーラント層を有するシートを用いればよい。
【００３０】
本発明による多室袋に用いるシートとしては、シートの膜厚方向に透明なものであっても、不透明なものであっても、半透明なものであってもよい。
【００３１】
また、本発明による多室袋の形成に用いるシートのうち、第２室の形成に用いるシートは、このシートを用いて本発明による多室袋の第２室を形成した際、第１室に設けた咬合部に対応する位置における断面が、図３−１乃至３−３に示すように、基材１０２と、基材１０２上に積層されたシーラント層１０４とを有するとともに、シーラント層１０４上に積層された剥離層１０６をさらに有するものである。この剥離層を有するシートにおいて、剥離層の形態としては、図３−１及び３−２に示すように、多室袋の第１室に設けた咬合部に沿って形成されたものであってもよく、図３−３に示すように、多室袋の第１室に設けた咬合部に沿って、部分的に形成されたものであってもよい。図３−３に示すように、部分的に剥離層が形成されたシートは、本発明による多室袋の製造において、多室袋の上辺１８から底辺１６へと至る方向に沿って各シートを結合することにより、多室袋の上下方向に複数の室を有する多室袋が得られる。
【００３２】
以上のような構成のシートを用いて多室袋を形成することにより、シーラント層１０４とシーラント層１０４とが接する場所では、持続的にシート同士が結合することとなる。また、シーラント層１０４又は剥離層１０６と、剥離層１０６とが接する場所（例えば、図２の剥離層１０６で示す場所）では、一時的にシート同士が結合することとなり、シーラント層１０４と剥離層１０６との結合、及び剥離層１０６と剥離層１０６との結合は、応力によって解除され得る。
【００３３】
なお、本発明において、「咬合部に対応する位置」とは、各シートの位置であって、各シートが咬合部に沿って結合される位置をいう。図１を参照すれば、「咬合部に対応する位置」とは、図１の横方向に伸びる２本の点線で囲まれた部分の鉛直方向（つまり、図１の紙面に直交する方向）に存在する各シートの位置をいう。つまり、本発明による多室袋の外面を構成し咬合部２６が結合されるシートでいえば、「咬合部に対応する位置」とは、咬合部２６が設けられたシートの位置をいう。また、第２室３８の形成、及び第１室３６の形成に用いられるシートでいえば、「咬合部に対応する位置」とは、咬合部２６が設けられたシートの位置をいうとともに、このシートを挟んでこの位置の裏側の位置（図２でいえば剥離層１０６の存在する位置）をいう。さらに、本発明による多室袋の外面を構成し第２室３８の形成に用いられるシートでいえば、「咬合部に対応する位置」とは、第１室３６の形成に用いられるシートと結合される位置をいい、咬合部２６に沿って各シートが結合された後、この位置で、第２室３８が開口可能に構成されることとなる。通常、咬合部は、咬み合わされた状態のリールを、シートに結合させて用いるが、本発明による多室袋を製造する際に、３枚以上のシートを重ね合わせた状態で咬合部を結合させようとすると、咬合部を有さない室の咬合部に対応する位置（咬合部を結合させるために熱シール等の下述のシートの結合が起こる位置）に存在するシーラント層同士が結合してしまう。本発明では、少なくとも咬合部に対応する位置に剥離層を設けることで、シート同士の結合を所望しない部分の持続的な結合を防ぐことが可能となる。
【００３４】
本発明による多室袋の形成に用いるシートにおいて、基材１０２の材料としては、シート間の結合によって可撓性が著しく消失されない材料であれば、特に制約はない。例えばポリエステル、ポリプロピレン、ポリアミドが挙げられる。基材１０２は、単層のフィルムであっても、積層のフィルムであってもよい。内容物の性状等の種々の特性に応じて選択すればよい。また、このシートには、アルミ箔層や、蒸着フィルム層をさらに設けてもよい。さらに、このシートには、印字可能とするように、必要に応じて、印刷層を設けてもよい。
【００３５】
本発明による多室袋の形成に用いるシートにおいて、シーラント層１０４の材料としては、他のシーラント層と持続的に結合状態を維持し得る材料であれば、特に制約はなく、熱融着性を有する材料で構成されてもよい。具体的には、例えばポリエチレン、ポリプロピレン、アイオノマー樹脂、エチレン−酢酸ビニル共重合体が挙げられる。
【００３６】
本発明による多室袋の形成に用いるシートにおいて、剥離層１０６としては、シーラント層１０４又は他の剥離層１０６に対するある程度の結合性を有し、且つ応力によってシーラント層１０４と剥離層１０６との結合、及び剥離層１０６と剥離層１０６との結合が解除され得る材料を用いることができる。例えば、剥離層１０６の材料としては、例えばシリコーン、フッ素樹脂、フッ素又はシリコーンをグラフト重合した樹脂、ポリエチレンワックス、カルバナワックス等の蝋成分が１種類又は複数種類ブレンドしたインキ又は塗料など、熱シール等した際にシーラント層同士が結合するのを防止することが可能な各種材料が挙げられる。また、剥離層１０６の形態としては、シーラント層１０４又は他の剥離層１０６との熱融着力の弱い単層合成樹脂フィルム、層間剥離しやすい積層合成樹脂フィルム、凝集剥離層を有する積層合成樹脂フィルムが挙げられる。
【００３７】
本発明による多室袋は、袋の形態とするように、底辺１６並びに側辺１２及び１４において各シートが結合されるとともに、後述の通り第１内容物Ｃ１及び第２内容物Ｃ２（以下、これらをまとめて内容物とも称する。）を収納するなどの所定の工程の後、シートの上辺１８で結合されて、製造されてもよい。
【００３８】
なお、本発明による多室袋の形成に用いるシートは、このシートを構成する各層を、押出しラミネーションやドライラミネーション等の本技術分野公知の種々の手段で接着して、製造されてもよい。
【００３９】
本発明による多室袋を製造するには、このような材料を用いて、袋の形態とするように、底辺１６並びに側辺１２及び１４において各シートが結合すればよい。また、所望に応じて、咬合部に対応する位置や、上辺１８で結合してもよい。
【００４０】
本発明による多室袋において、自立性を付与するため、ガゼット部２８を設けてもよい。ガゼット部２８は、種々の方法で形成されればよく、例えば、図４−２に示したようなシートを用いて形成すればよい。このシートを用いて形成する場合、例えば、基材１０２同士が接するようにシートをＶ字型に折り、このＶ字折りのシートのシーラント層１０４と他のシートのシーラント層１０４とが結合するように、形成すればよい。ガゼット部２８を設ける位置は、図１に示すように、多室袋の底辺１６であってもよく、その他の位置であってもよい。
【００４１】
本発明による多室袋において、使用者の開封の便宜を向上させるため、ノッチ２２を設けてもよい。使用者は、多室袋を開封する際、ノッチ２２に沿って、開封すればよい。また、同様の目的で、多室袋の全幅方向又は全長方向に開封線２４を設けてもよい。
【００４２】
（本発明による多室袋への内容物の収納）
次に、上述の通り構成した本発明による多室袋への内容物の収納について説明する。
【００４３】
図５は、本発明による多室袋に内容物を収納した態様を示す断面図である。本発明による多室袋において、上述の通り、第１室３６及び第２室３８を形成するとともに、第１室３６及び第２室３８にそれぞれ形成された第１開口部３２及び第２開口部３４から、第１内容物Ｃ１及び第２内容物Ｃ２などの内容物を収納する。内容物を収納した後、各シートの上辺１８において各シートを結合するとともに、咬合部２６に沿って各シートを結合する。
【００４４】
このように内容物の収納を行うことにより、咬合部２６への内容物の噛み込みがなく、容易に内容物の収納を行うことができる。
【００４５】
本発明において、第１内容物Ｃ１及び第２内容物Ｃ２としては、液体や固体などの種々の物性を有する物質が挙げられる。第１内容物Ｃ１としては、例えば、錠剤、カプセル、トローチ、顆粒、細粒、液剤、ゲル剤などの薬剤が挙げられる。また、第２内容物Ｃ２としては、第１内容物Ｃ１と混在させることが好ましくない種々の物質であってもよく、例えば、効能書、説明書、薬剤の添付文書などの印刷物が挙げられる。
【００４６】
このように構成することで、本発明による多室袋に内容物を収納した包装体が得られる。
【００４７】
（本発明による多室袋の使用）
次に、本発明による多室袋の使用について説明する。
【００４８】
内容物を収納した本発明による多室袋を使用する場合、使用者は、咬合部２６の上辺１８側に沿って開封すればよい。この際、ノッチ２２から開封線２４に沿って開封してもよい。図６は、本発明による多室袋を開封した態様を示す断面図であって、開封線２４に沿って開封した態様を示すものである。
【００４９】
多室袋から内容物を取り出したり収納したりするなどの出し入れを行う場合、開封線２４に沿って開封して形成された第１開封開口部４２及び第２開封開口部４４を介して、行えばよい。
【００５０】
多室袋の製造直後では、咬合部２６が嵌合などの結合した状態となっているので、咬合部２６の結合状態を解除した後、第１室３６から第１内容物Ｃ１を取り出せばよい。また、多室袋の製造直後では、第２室の形成に用いた各シートの咬合部に対応する位置で結合されているので、応力をかけることで、各シートの結合を解除して第２室３８を開口した後、第２室３８から第２内容物Ｃ２を取り出せばよい。
【００５１】
第１室３６又は第２室３８は、内容物の出し入れを行った後、必要に応じて、咬合部を噛み合わせることで、閉口すればよい。特に、第２室３８は、上述のように少なくとも開口可能に構成されていることから、第２室３８の構成によって、開口状態のままであってもよく、閉口状態としてもよい。
【００５２】
＜本発明による多室袋を製造する方法＞
本発明による多室袋を製造する方法（以下、多室袋の製造方法と称する。）としては、上述の通り構成し得る本技術分野公知の方法を適宜組み合わせて、用いればよい。なかでも、本発明による多室袋の製造方法としては、前記咬合部を設けたシートを供給する工程と、前記咬合部と剥離層とが対応するように、該剥離層を有するシートを供給する工程と、前記シートのそれぞれを結合する工程とを有する方法が挙げられる。
【００５３】
本発明による多室袋の製造方法において、まず、チャックなどの咬合部２６を設けたシートを供給する。咬合部２６の形態としては、咬み合う部分のそれぞれが咬み合わされた状態であっても、咬み合わされていない状態であってもよい。この工程において、予めシートと咬合部２６とを適当な接着手段で結合させたものを供給してもよく、シートと咬合部とを同期させながら供給してもよい。
【００５４】
次に、咬合部２６を設けたシートを供給する工程の後及び／又はこの工程の間、剥離層１０６を有するシートを供給する。この工程において、剥離層を有するシートは、剥離層が咬合部に対応する位置に配置されるように、供給される。この工程において、剥離層を有するシートを供給するとともに、他のシートを供給してもよい。この工程において、剥離層を有するシートと他のシートとを供給する場合、剥離層を有するシートと他のシートとを所定の間隔をおいて供給してもよいし、剥離層を有するシートと他のシートとを同時に供給してもよい。この他のシートとしては、剥離層を有するシートであってもよく、剥離層を有さないシートであってもよい。
【００５５】
次に、咬合部２６を設けたシートを供給する工程、及び／若しくは剥離層１０６を有するシートを供給する工程の後、並びに／又はこれらの工程の間、これらのシートを結合する工程を行う。このシートを結合する工程において、咬合部を有するシートと、剥離層を有するシート又は剥離層を有さないシートなどの他のシートとを結合する。特に、この工程において、咬合部を有するシートと剥離層を有するシートとを、剥離層が咬合部に対応する位置に配置されるように、各シートの側辺１２及び１４並びに底辺１６で結合する。この際、咬合部を有するシートと剥離層を有するシートと剥離層を有するシート又は剥離層を有さないシートとを結合してもよい。このシートを結合する工程は、熱シール、超音波シール、インパルスシールなどの手段により行えばよく、容易に製造し得る点で、熱シールにより行うことが好ましい。このようにして、上辺１８及び咬合部２６に沿って第１室３６及び第２室３８が開口した状態で、本発明による多室袋が得られる。
【００５６】
このシートを結合する工程において、各シートの側辺１２及び１４並びに底辺１６で結合する前や結合した後に、第１室３６及び第２室３８に内容物を収納する工程を行ってもよい。さらに、内容物を収納する工程を行った後、袋の形態となるように、各シートの上辺１８及び／又は咬合部２６に沿って、各シートを結合してもよい。
【００５７】
このようにして、本発明による多室袋及び包装体が得られる。
【００５８】
（付記）
なお、本願は、以下の可撓性の多室袋の製造方法をも開示するものである。
【００５９】
可撓性の多室袋の製造方法は、
内容物を収納する第１室と、
内容物を収納し前記第１室と隣接する第２室と、
前記第１室を開閉可能とする咬合部と、
を有する可撓性の多室袋の製造方法であって、
前記咬合部を設けたシートを供給する工程と、
前記咬合部と剥離層とが対応するように、該剥離層を有するシートを供給する工程と、
前記シートのそれぞれを結合する工程と、
を有することを特徴とする。これにより、多室袋の製造をライン化することが可能となる。
【００６０】
上記の多室袋の製造方法において、前記の剥離層を有するシートを供給する工程は、前記咬合部と結合するシートを供給する工程であることを特徴とする。これにより、多室袋の製造をライン化することが可能となる。
【００６１】
上記の多室袋の製造方法において、前記の剥離層を有するシートを供給する工程は、該シートとともに、他のシートを同時に供給する工程であることを特徴とする。これにより、製造時間の効率化を図ることが可能となる。
【００６２】
上記の多室袋の製造方法において、前記の剥離層を有するシートを供給する工程は、剥離層を有するシートと、剥離層を有するシート又は剥離層を有さないシートとを供給する工程であることを特徴とする。これにより、製造時間の効率化を図ることが可能となる。
【００６３】
上記の多室袋の製造方法において、前記のシートを結合する工程は、前記咬合部を有するシートと、他のシートとを結合する工程であることを特徴とする。これにより、製造ライン上で各シートを結合することが可能となる。
【００６４】
上記の多室袋の製造方法において、前記のシートを結合する工程は、前記剥離層を有するシートと、前記剥離層を有するシート、又は剥離層を有さないシートとを結合する工程であることを特徴とする。これにより、製造時間の効率化を図るとともに、製造ライン上で各シートを結合することが可能となる。
【００６５】
上記の多室袋の製造方法において、前記のシートを結合する工程は、熱シール、超音波シール及びインパルスシールからなる群から選択された少なくとも１つの手段で行う工程であることを特徴とする。これにより、簡便な方法で各シートを結合することが可能となる。
【図面の簡単な説明】
【００６６】
【図１】本発明による多室袋の平面図を示す。
【図２】図１の線Ｘ−Ｘに沿った拡大断面図を示す。
【図３−１】本発明による多室袋において、第２室の形成に用いるシートの断面の一例を示す図である。
【図３−２】本発明による多室袋において、第２室の形成に用いるシートの断面の一例を示す図である。
【図３−３】本発明による多室袋において、第２室の形成に用いるシートの断面の一例を示す図である。
【図４−１】本発明による多室袋に用いるシートの断面の一例を示す図である。
【図４−２】本発明による多室袋に用いるシートの断面の一例を示す図である。
【図５】本発明による多室袋に内容物を収納した態様を示す断面図である。
【図６】本発明による多室袋を開封した態様を示す断面図である。
【符号の説明】
【００６７】
１        多室袋
１２      側辺
１４      側辺
１６      底辺
１８      上辺
２２      ノッチ
２４      開封線
２６      咬合部
２８      ガゼット部
３２      第１開口部
３４      第２開口部
３６      第１室
３８      第２室
４２      第１開封開口部
４４      第２開封開口部
１０２    基材
１０４    シーラント層
１０６    剥離層
Ｃ１      第１内容物
Ｃ２      第２内容物
Ｘ        線
【図１】
2008213875.tif 000003
【図２】
2008213875.tif 000004
【図３−１】
2008213875.tif 000005
【図３−２】
2008213875.tif 000006
【図３−３】
2008213875.tif 000007
【図４−１】
2008213875.tif 000008
【図４−２】
2008213875.tif 000009
【図５】
2008213875.tif 000010
【図６】
2008213875.tif 000011